(57)【要約】【課題】  周辺物に近接あるいは接触した位置であっても、迅速に取り付けることができる、配線・配管材支持具を提供する。【解決手段】  配線・配管材支持具３は、支持具本体６を備え、その支持具本体６は、支柱１に固定される固定部４と、配線・配管材２を支持する支持部５とを有する。そして、固定部４が、離れて並んで支柱１を互いに逆側から抱え込むフック４ａ、４ａを備えて、固定部４を支柱１に対して交差させた状態で、フック４ａ、４ａ間の離間空間４ｂに支柱１を進入させ、支持具本体６を、支柱１に直交する回動軸Ｘ２回りに回動することで、フック４ａ、４ａで支柱１を抱え込む。ここで、支持具本体６には、前記回動の過程で周辺物７に干渉しないように、その支持具本体６から突設されて、前記回動にあたって周辺物７に当接して、周辺物７に対するその支持具本体６の距離を所要の距離に保つ、位置決め部８が設けられる。【選択図】  図１
2010156421.tif 000002
【特許請求の範囲】
【請求項１】
支柱に固定される固定部と、配線・配管材を支持する支持部とを有する、支持具本体を備え、前記固定部が、離れて並んで前記支柱を互いに逆側から抱え込むフックを備えて、前記固定部を前記支柱に対して交差させた状態で、前記フック間の離間空間に前記支柱が進入するように前記固定部を前記支柱側に移動し、前記支柱に対して前記支持具本体を、前記支柱に直交する回動軸回りに回動することで、前記フックで前記支柱を抱え込む、配線・配管材支持具であって、
前記支持具本体には、その支持具本体が、前記回動の過程で前記支柱の周りの周辺物に干渉しないように、その支持具本体から突設されて、前記回動にあたって前記周辺物に当接して、前記周辺物に対するその支持具本体の距離を所要の距離に保つ、位置決め部が設けられてなる、配線・配管材支持具。
【請求項２】
前記支持具本体には、前記周辺物としての他の配線・配管材支持具と相互に連結するための、係止部と被係止部とが設けられ、
前記係止部が、前記他の配線・配管材支持具の被係止部に係合するように、前記位置決め部が、前記回動にあたって前記他の配線・配管材支持具に当接して、前記他の配線・配管材支持具に対する前記支持具本体の距離を所要の距離に保つ、請求項１に記載の配線・配管材支持具。
【請求項３】
前記位置決め部の先端面は、前記回動軸を中心とする円弧形状に形成されてなる、請求項１または２に記載の配線・配管材支持具。
【請求項４】
前記位置決め部は、前記固定部の両フック内を貫く固定部中心軸と前記回動軸とを含む基準平面を挟む一方側で、前記基準平面から離れる方向に突設される、請求項１ないし３のいずれか１項に記載の配線・配管材支持具。
【請求項５】
前記位置決め部として、前記固定部の両フック内を貫く固定部中心軸と前記回動軸とを含む基準平面を挟む各側で、前記基準平面から離れる方向に突設された、第１の位置決め部と第２の位置決め部とを備える、請求項１ないし３のいずれか１項に記載の配線・配管材支持具。
【請求項６】
前記位置決め部は、互いに平行となって対向する二つの突片からなる、請求項１ないし４のいずれか１項に記載の配線・配管材支持具。
【請求項７】
前記固定部には、前記回動軸がずれないように、前記回動の中心となるべき位置に、前記支柱に当接して前記回動軸を形成する突起が設けられている、請求項１ないし６のいずれか１項に記載の配線・配管材支持具。
【発明の詳細な説明】
【技術分野】
【０００１】
この発明は、支柱に固定されて配線・配管材を支持する配線・配管材支持具に関するものである。
【背景技術】
【０００２】
従来、例えば二重天井内の吊りボルトに取り付けられて、ケーブル等を支持する、支持具があった（例えば、特許文献１参照）。図２０に示すように、この支持具２１は、ケーブル２２を支持する支持部２３と、吊りボルト２４の軸方向の適宜位置に固定される固定部２５とからなっていた。ここで、固定部２５は、基部２６と二つのフック２７、２７とから構成された。これらフック２７，２７は、吊りボルト２４の延びる方向に離れて並ぶように、そして、吊りボルト２４を互いに逆側から抱え込むように、前記基部２６から延設された。そこで、吊りボルト２４への支持具２１の取付けにあたっては、固定部２５を吊りボルト２４に対して交差させた状態で、フック２７、２７間の離間空間に吊りボルト２４を進入させて、固定部２５を吊りボルト２４に沿うように回動することで、フック２７、２７が吊りボルト２４を抱え込み、こうして、支持具２１は、吊りボルト２４に取り付けられた。
【０００３】
【特許文献１】特開２００３−３４８７３９号公報
【発明の開示】
【発明が解決しようとする課題】
【０００４】
ところで、前記従来の支持具２１にあっては、支持具２１を吊りボルト２４に取り付けるにあたって、周辺物としての天井に近い位置に取り付ける場合に、支持具２１を天井に近づけすぎると、支持具２１を回動する途中で支持具２１が天井と干渉して取り付けられなかった。そして、この場合には、もう一度始めからやり直す必要があり、その取付け作業が面倒であった。
【０００５】
この発明は、上記した従来の欠点を解決するためになされたものであり、その目的とするところは、周辺物に近接あるいは接触した位置であっても、迅速に取り付けることができる、配線・配管材支持具を提供することにある。
【課題を解決するための手段】
【０００６】
この発明に係る配線・配管材支持具は、前記目的を達成するために、次の構成からなる。すなわち、
請求項１に記載の発明に係る配線・配管材支持具は、支柱に固定される固定部と、配線・配管材を支持する支持部とを有する、支持具本体を備え、前記固定部が、離れて並んで前記支柱を互いに逆側から抱え込むフックを備えて、前記固定部を前記支柱に対して交差させた状態で、前記フック間の離間空間に前記支柱が進入するように前記固定部を前記支柱側に移動し、前記支柱に対して前記支持具本体を、前記支柱に直交する回動軸回りに回動することで、前記フックで前記支柱を抱え込む、配線・配管材支持具である。ここで、前記支持具本体には、その支持具本体が、前記回動の過程で前記支柱の周りの周辺物に干渉しないように、その支持具本体から突設されて、前記回動にあたって前記周辺物に当接して、前記周辺物に対するその支持具本体の距離を所要の距離に保つ、位置決め部が設けられる。
【０００７】
これにより、この配線・配管材支持具を支柱に取り付けるには、始めに、固定部を支柱に対して交差させた状態で、フック間の離間空間に支柱を進入させる。このとき、位置決め部を周辺物に当接させる。そして、支持具本体、つまりは配線・配管材支持具を、支柱に対して前記回動軸回りに回動すると、フックが支柱を抱え込み、配線・配管材支持具は、固定部部分で、支柱に固定される。そして、このように、配線・配管材支持具を支柱に対して回動するにあたって、位置決め部を周辺物に当接させることで、周辺物に対する支持具本体の距離を所要の距離に保つことができ、その状態で、配線・配管材支持具を前記回動軸回りに回動することで、配線・配管材支持具を、周辺物に干渉することなく、その周辺物に近接あるいは接触した位置で支柱に取り付けることができる。
【０００８】
また、請求項２に記載の発明に係る配線・配管材支持具は、請求項１に記載の配線・配管材支持具において、前記支持具本体には、前記周辺物としての他の配線・配管材支持具と相互に連結するための、係止部と被係止部とが設けられる。そして、前記係止部が、前記他の配線・配管材支持具の被係止部に係合するように、前記位置決め部が、前記回動にあたって前記他の配線・配管材支持具に当接して、前記他の配線・配管材支持具に対する前記支持具本体の距離を所要の距離に保つ。こうして、他の配線・配管材支持具に対する支持具本体の距離が保たれて、支持具本体、ひいては配線・配管材支持具を、他の配線・配管材支持具に干渉することなく、支柱に取り付けることができるとともに、係止部を他の配線・配管材支持具の被係止部に係合させて、他の配線・配管材支持具と連結することができる。
【０００９】
また、請求項３に記載の発明に係る配線・配管材支持具は、請求項１または２に記載の配線・配管材支持具において、前記位置決め部の先端面が、前記回動軸を中心とする円弧形状に形成される。
【００１０】
また、請求項４に記載の発明に係る配線・配管材支持具は、請求項１ないし３のいずれか１項に記載の配線・配管材支持具において、前記位置決め部は、前記固定部の両フック内を貫く固定部中心軸と前記回動軸とを含む基準平面を挟む一方側で、前記基準平面から離れる方向に突設される。
【００１１】
また、請求項５に記載の発明に係る配線・配管材支持具は、請求項１ないし３のいずれか１項に記載の配線・配管材支持具において、前記位置決め部として、前記固定部の両フック内を貫く固定部中心軸と前記回動軸とを含む基準平面を挟む各側で、前記基準平面から離れる方向に突設された、第１の位置決め部と第２の位置決め部とを備える。このように、第１の位置決め部と第２の位置決め部とを設けることで、支柱の延びる方向の一方側にある周辺物に対して配線・配管材支持具をその周辺物に近接あるいは接触した位置に取り付けることもでき、また、支柱の延びる方向のもう一方側にある周辺物に対して配線・配管材支持具をその周辺物に近接あるいは接触した位置に取り付けることもできる。
【００１２】
また、請求項６に記載の発明に係る配線・配管材支持具は、請求項１ないし４のいずれか１項に記載の配線・配管材支持具において、前記位置決め部は、互いに平行となって対向する二つの突片からなる。このように、位置決め部として、対向する二つの突片を設けることで、支持具本体、つまりは配線・配管材支持具の回動を、回動軸のぶれを抑えて安定して行うことができる。
【００１３】
また、請求項７に記載の発明に係る配線・配管材支持具は、請求項１ないし６のいずれか１項に記載の配線・配管材支持具において、前記固定部には、前記回動軸がずれないように、前記回動の中心となるべき位置に、前記支柱に当接して前記回動軸を形成する突起が設けられる。
【発明の効果】
【００１４】
この発明に係る配線・配管材支持具によれば、支持具本体に、周辺物との距離を保つ位置決め部を設けることで、支柱の周りの周辺物に近接あるいは接触した位置であっても、配線・配管材支持具を支柱に迅速に取り付けることができる。
【発明を実施するための最良の形態】
【００１５】
以下、この発明に係る配線・配管材支持具を実施するための形態を図面に基づいて説明する。
【００１６】
図１〜図７は、本発明の第一の実施の形態を示す。図中符号１は、支柱、例えば、建物に配設された支柱である。２は、配線・配管材（配線材または配管材）である。３は、前記支柱１に固定されて前記配線・配管材２を支持する配線・配管材支持具である。
【００１７】
この配線・配管材支持具３は、前記支柱１に固定される固定部４と、前記配線・配管材２を支持する支持部５とを有する、支持具本体６を備え、前記固定部４が、離れて並んで支柱１を互いに逆側から抱え込むフック４ａ、４ａを備えて、固定部４を支柱１に対して交差させた状態で、フック４ａ、４ａ間の離間空間４ｂに支柱１が進入するように固定部４を支柱１側に移動し、支柱１に対して支持具本体６を、支柱１に直交する（詳細には、支柱１に直交するとともに、固定部４の両フック４ａ、４ａ内を貫く固定部中心軸Ｘ１に直交する）回動軸Ｘ２回りに回動することで、フック４ａ、４ａで支柱１を抱え込む、配線・配管材支持具である。
【００１８】
ここで、支持具本体６には、その支持具本体６が、前記回動の過程で支柱１の周りの周辺物７（特に、支柱１の延びる方向の一方側にある周辺物）に干渉しないように、その支持具本体６から突設されて、前記回動にあたって周辺物７に当接して、周辺物７に対するその支持具本体６の距離を所要の距離に保つ、位置決め部８が設けられる。そして、この位置決め部８の先端面８ａは、前記回動軸Ｘ２を中心とする円弧形状に形成される。
【００１９】
具体的には、支柱１は、例えば二重天井等における吊りボルト等のボルト材からなる。そして、前記周辺物７は、例えば二重天井における上側の天井７０１である。
【００２０】
配線・配管材支持具３は、前記支持具本体６と前記位置決め部８とが、合成樹脂材料により一体に形成されている。
【００２１】
ここにおいて、支持具本体６における前記固定部４は、基部９と、その基部９から延設された前記フック４ａとからなる。これによって、基部９とフック４ａとで支柱１を挟み込みこむこととなり、この挟み込みにより、固定部４は、支柱１に固定される。詳細には、基部９は、支柱１の延びる方向に平板状に延びた長方形形状をしている。そして、この基部９に直交する方向が、前記回動軸Ｘ２の方向となる。フック４ａは、支柱１を抱え込むように湾曲して形成されている。そして、このフック４ａの先端と基部９との間が、開放部４ｄとなっている。このフック４ａは、二つ設けられ、これらフック４ａ、４ａは、支柱１の延びる方向に離れて並ぶように、そして、支柱１を互いに逆側から抱え込むように、基部９の対角線方向の各側から突出するようにして延設されている。すなわち、フック４ａは、長方形形状をした基部９の各長辺９ａにおいて、互いに離れた側の端部から突出している。図示実施の形態においては、基部９をフック４ａ側から見た向きで、一方のフック４ａは、右上分から突出して左に向かって延び、もう一方のフック４ａは、左下から突出して右に向かって延びている（図１、図３参照）。
【００２２】
また、フック４ａには、その内側に、支柱１がボルト材からなる場合にそのねじの谷と係合する爪４ｆが設けられており、固定部４が支柱１に固定された後に、その支柱１の延びる方向に安易に移動しないようになっている。そして、図示実施の形態においては、同様の趣旨で、基部９の両端部に、支柱１のねじの谷と係合する爪９ｂが設けられている。
【００２３】
また、固定部４には、前記回動軸Ｘ２がずれないように、前記回動の中心となるべき位置に、支柱１に当接して前記回動軸Ｘ２を形成する突起９ｃが設けられている。この突起９ｃは、基部９に設けられ、詳細には、基部９の中央から、例えば円錐形状を形成するように突出している。そして、支柱１が、吊りボルトのようなボルト材からなると、そのボルトにおけるねじの谷に、前記突起９ｃが係合することとなる。
【００２４】
支持具本体６における前記支持部５は、前記配線・配管材２を囲むようにしてその配線・配管材２を支持するものであり、前記基部９と第１片５ａと第２片５ｂと開閉片５ｃとからなる。ここで、第１片５ａは、基部９の長手方向（つまり、前記固定部中心軸Ｘ１の方向）の一方の端部（図示実施の形態においては下端部）から、前記回動軸Ｘ２の方向であってフック４ａのある側とは反対側に、延設される。そして、第２片５ｂは、第１片５ａと対向するように、基部９の長手方向（つまり、前記固定部中心軸Ｘ１の方向）の他方の端部（図示実施の形態においては上端部）から、前記回動軸Ｘ２の方向であってフック４ａのある側とは反対側に、延設される。また、開閉片５ｃは、第１片５ａと第２片５ｂとの先端間の開口部５ｄを開閉するものであり、図示実施の形態においては、第２片５ｂの先端とヒンジ５ｅで繋がっており、このヒンジ５ｅを中心に開閉片５ｃを回動することで、前記開口部５ｄを開閉することができる。そして、開閉片５ｃの先端部分には、係合部としての係合爪５ｆが設けられ、第１片５ａの先端部分には、被係合部としての係合凹部５ｇが設けられている。そこで、開閉片５ｃにより開口部５ｄを閉じ、係合爪５ｆを係合凹部５ｇに係合させることで、この開口部５ｄを閉じた状態に維持することができる。そして、この開口部５ｄを閉じた状態で、支持部５は、略四角形状となる、帯状のループを形成する。
【００２５】
位置決め部８は、図１に示すように、前記固定部中心軸Ｘ１と前記回動軸Ｘ２とを含む基準平面Ｙを挟む一方側で、その基準平面Ｙから離れる方向に突設される。図示実施の形態においては、基部９をフック４ａ側から見た向きで、位置決め部８は、基部９から左側に突設して形成されている（図３参照）。詳細には、位置決め部８は、基部９の一方の長辺９ａ（つまり、前記固定部中心軸Ｘ１に沿う辺であって、左側の長辺）から、前記回動軸Ｘ２に直交する面を形成するように板状に突設されている。そして、前述したように、位置決め部８の先端面８ａは、前記回動軸Ｘ２を中心とする円弧形状に形成されている。ここにおいて、回動軸Ｘ２から、この先端面８ａまでの距離Ｒは、前記回動によって支持具本体６が周辺物７と干渉する虞がある端面（図示実施の形態においては、基部９の角面Ｅ）までの距離Ｌとほぼ同じになっている（図５（ｂ）参照）。もっとも、この距離Ｒは、距離Ｌより長くても構わない。また、この位置決め部８は、前記回動を安定させるために、支柱１に近い位置、つまり図示実施の形態のように、固定部４（詳細には、基部９）に設けられるのが好ましい。
【００２６】
次に、以上の構成からなる配線・配管材支持具３の作用効果について説明する。この配線・配管材支持具３によると、配線・配管材支持具３を支柱１に取り付けるには、始めに、図５に示すように、固定部４を支柱１に対して交差させた状態で、固定部４を支柱１側に移動するようにして、フック４ａ、４ａ間の離間空間４ｂに支柱１を進入させる。このとき、位置決め部８（詳細には、先端面８ａ）を周辺物７としての天井７０１に当接させる。そして、図６および図７に示すように、支持具本体６、つまりは配線・配管材支持具３を、支柱１に対して前記回動軸Ｘ２回りに回動（図５（ｂ）の状態から、反時計回り方向に回動）すると、フック４ａが支柱１を抱え込む（図７参照）。すなわち、固定部４が支柱１に沿う方向を向くように、配線・配管材支持具３をひねって、支柱１を開放部４ｄ、４ｄからフック４ａ、４ａ内（つまり、固定部４内）に進入させると、フック４ａ、４ａが支柱１を抱え込み、基部９とフック４ａ、４ａとで支柱１を挟み込む。こうして、配線・配管材支持具３は、固定部４部分で、支柱１に固定される。そして、このように、配線・配管材支持具３を支柱１に対して回動するにあたって、位置決め部８を天井７０１（周辺物７）に当接させることで、天井７０１（周辺物７）に対する支持具本体６の距離を所要の距離に保つことができ、その状態で、配線・配管材支持具３を前記回動軸Ｘ２回りに回動することで、配線・配管材支持具３を、天井７０１（周辺物７）に干渉することなく、その天井７０１（周辺物７）に近接あるいは接触した位置で支柱１に取り付けることができる。すなわち、この配線・配管材支持具３によれば、支持具本体６に、天井７０１（周辺物７）との距離を保つ位置決め部８を設けることで、天井７０１（周辺物７）に近接あるいは接触した位置であっても、配線・配管材支持具３を支柱１に迅速に取り付けることができる。
【００２７】
反対に、配線・配管材支持具３を支柱１から取り外すには、配線・配管材支持具３を逆にひねるようにして、支柱１を開放部４ｄ、４ｄから外に出し（図５参照）、その後、固定部４を支柱１から離すようにして、支柱１を離間空間４ｂから外に出す。
【００２８】
また、位置決め部８の先端面８ａは、前記回動軸Ｘ２を中心とする円弧形状に形成されており、配線・配管材支持具３の回動の過程で、位置決め部８が天井７０１（周辺物７）に当接している間、配線・配管材支持具３が支柱１に沿って天井７０１（周辺物７）側に動くことがない。
【００２９】
また、固定部４（詳細には、基部９）には、支柱１に当接して回動軸Ｘ２を形成する突起９ｃが設けられている。したがって、支柱１がボルト材であって、そのねじ部分に突起９ｃが当接すると、その突起９ｃがねじの谷と係合する。これにより、配線・配管材支持具３の回動の際に、回動軸Ｘ２のずれを防いで、天井７０１（周辺物７）に対する、支持具本体６の距離を所要の距離に確実に保つことができる。
【００３０】
図８〜図１８は、本発明の第二の実施の形態を示す。この実施の形態は、第一の実施の形態とは、配線・配管材支持具３が、他の配線・配管材支持具７０２と連結するための構造を有し、周辺物７が、前記他の配線・配管材支持具７０２である点が異なるが、他はほぼ同様であり、同様の部位には同一の符号を付して、以下に異なる部分を主に説明する。
【００３１】
この配線・配管材支持具３においては、支持具本体６に、周辺物７としての他の配線・配管材支持具７０２と相互に連結するための、係止部１０と被係止部１１とが設けられる。そして、係止部１０が、前記他の配線・配管材支持具７０２の被係止部１１に係合するように、位置決め部８が、支持具本体６（つまり、配線・配管材支持具３）の回動にあたって前記他の配線・配管材支持具７０２に当接して、前記他の配線・配管材支持具７０２に対する支持具本体６の距離を所要の距離に保つ。
【００３２】
具体的には、配線・配管材支持具３は、前記支持具本体６と前記位置決め部８と前記係止部１０および被係止部１１とが、合成樹脂材料により一体に形成されている。
【００３３】
支持具本体６は、固定部４と支持部５とが離れて設けられ、そのため、基部９が、固定部４側の第１の基部９０１と、支持部５側の第２の基部９０２とに別れて形成されている。そして、第１の基部９０１と第２の基部９０２とが、連結部１２ａで繋がっている。この連結部１２ａは、その連結部１２ａと第１および第２の基部９０１、９０２とで、固定部４の両フック４ａ、４ａ内を貫く固定部中心軸Ｘ１に直交する断面が、略Ｕ字状となるように設けられている。
【００３４】
そして、第１および第２の基部９０１、９０２と連結部１２ａとが、支柱に固定される他の固定部１２を構成する。すなわち、第１の基部９０１と第２の基部９０２との、連結部１２ａとは反対側の開口１２ｂから支柱を進入させて、それら第１の基部９０１と第２の基部９０２とで支柱を挟み込むことで、他の固定部１２は、支柱に固定され、こうして、この配線・配管材支持具３は、支柱に取り付けられる。図示実施の形態においては、他の固定部１２は、前記固定部４が固定される支柱１よりも径小の支柱を対象としており、第１の基部９０１と第２の基部９０２との間が狭く形成されている。また、他の固定部１２の内面には、支柱がボルト材からなる場合にそのねじの谷と係合する爪１２ｃが設けられており、配線・配管材支持具３が、その支柱の延びる方向に安易に移動しないようになっている。
【００３５】
また、固定部４を構成する、基部９としての第１の基部９０１には、その第１の基部９０１を、固定部中心軸Ｘ１の方向の両側に分けるように、中央部分において端からスリット状に切り欠かれた切欠き９ｄが設けられている。
【００３６】
支持部５は、第一の実施の形態と同様に、支持部５を構成する、基部９としての第２の基部９０２と、第１片５ａと、第２片５ｂと、開閉片５ｃとからなる。ただし、第１片５ａに比べて、第２片５ｂは、短く形成されており、また、開閉片５ｃは、第２片５ｂを補うようにＬ字状に形成されて、第１片５ａの先端とヒンジ５ｅで繋がっており、このヒンジ５ｅを中心に開閉片５ｃを回動することで、第１片５ａと第２片５ｂとの先端間の開口部５ｄを開閉することができる。そして、開閉片５ｃの先端部分には、係合部としての係合爪５ｆが設けられ、第２片５ｂの先端部分には、被係合部としての係合凹部５ｇが設けられている。そこで、開閉片５ｃにより開口部５ｄを閉じ、係合爪５ｆを係合凹部５ｇに係合させることで、この開口部５ｄは閉じた状態に維持される。そして、この開口部５ｄを閉じた状態で、支持部５は、略四角形状となる、帯状のループを形成する。
【００３７】
位置決め部８は、図１０および図１１に示すように、前記固定部中心軸Ｘ１と回動軸Ｘ２とを含む基準平面Ｙを挟む一方側で、その基準平面Ｙから離れる方向に突設される。図示実施の形態においては、第１の基部９０１をフック４ａ側から見た向きで、位置決め部８は、第１および第２の基部９０１、９０２から右側に突設して形成されている。詳細には、位置決め部８は、第１および第２の基部９０１、９０２の一方の長辺９ａ、９ａ（つまり、前記固定部中心軸Ｘ１に沿う片であって、右側の長辺）から、回動軸Ｘ２に直交する面を形成するように板状に突設されている。こうして、位置決め部８、８は、互いに平行となって対向する二つの突片からなる。そして、位置決め部８、８の先端面８ａ、８ａは、回動軸Ｘ２を中心とする円弧形状に形成されている。ここにおいて、回動軸Ｘ２から、この先端面８ａまでの距離Ｒ（図１４参照）は、回動軸Ｘ２から係止部１０（詳細には、係止部１０における前記固定部中心軸Ｘ１の方向において被係止部１１と係合する面）までの距離Ｌ１（図１６参照）と、他の配線・配管材支持具７０２における、前記先端面８ａが当接する当接面Ｗ、すなわち基部９０１、９０２の端面（図１４参照）から被係止部１１（詳細には、被係止部１１における前記固定部中心軸Ｘ１の方向において係止部１０と係合する面）までの距離Ｌ２（図１６参照）との和Ｌ３と、ほぼ同じになっている。また、この位置決め部８は、前記回動を安定させるために、支柱１に近い位置に設けられるのが好ましく、図示実施の形態においては、一方の位置決め部８が、固定部４（詳細には、第１の基部９０１）に設けられている。もう一方の位置決め部８は、固定部４寄りの支持部５（詳細には、第２の基部９０２）に設けられている。もっとも、これら位置決め部８、８のうち一方の位置決め部８は省略されてもよい。
【００３８】
また、これら位置決め部８、８は、第１および第２の基部９０１、９０２から、他の固定部１２の開口１２ｂとは反対側に突設されている。このため、これら位置決め部８、８を、互いが接近するように撓ませるようにして摘むことで、前記開口１２ｂが開き、他の固定部１２内への支柱の進入を容易にする。
【００３９】
次に、第二の実施の形態に示す配線・配管材支持具３の作用効果について説明する。この配線・配管材支持具３によると、配線・配管材支持具３を支柱１に取り付けるには、始めに、図１４に示すように、固定部４を支柱１に対して交差させた状態で、固定部４を支柱１側に移動するようにして、フック４ａ、４ａ間の離間空間４ｂに支柱１を進入させる。このとき、位置決め部８（詳細には、先端面８ａ）を周辺物７としての他の配線・配管材支持具７０２（詳細には、前記当接面Ｗ）に当接させる。そして、図１５に示すように、支持具本体６、つまりは配線・配管材支持３を、支柱１に対して前記回動軸Ｘ２回りに回動（図１４の状態から反時計回り方向に回動）すると、フック４ａが支柱１を抱え込む。すなわち、固定部４が支柱１に沿う方向を向くように、配線・配管材支持具３をひねって、支柱１を、フック４ａ、４ａの先端と第１の基部９０１との間の開放部４ｄ、４ｄからフック４ａ、４ａ内（つまり、固定部４内）に進入させると、フック４ａ、４ａが支柱１を抱え込み、第１の基部９０１とフック４ａ、４ａとで支柱１を挟み込む。こうして、配線・配管材支持具３は、固定部４部分で、支柱１に固定される。そして、このように、配線・配管材支持具３を支柱１に対して回動するにあたって、位置決め部８を他の配線・配管材支持具７０２（周辺物７）に当接させることで、他の配線・配管材支持具７０２（周辺物７）に対する支持具本体６の距離を所要の距離に保つことができ、その状態で、配線・配管材支持具３を前記回動軸Ｘ２回りに回動することで、配線・配管材支持具３を、他の配線・配管材支持具７０２（周辺物７）に干渉することなく、他の配線・配管材支持具７０２（周辺物７）に近接あるいは接触した位置で支柱１に取り付けることができる。すなわち、この配線・配管材支持具３によれば、支持具本体６に、他の配線・配管材支持具７０２（周辺物７）との距離を保つ位置決め部８を設けることで、他の配線・配管材支持具７０２（周辺物７）に近接あるいは接触した位置であっても、配線・配管材支持具３を支柱１に迅速に取り付けることができる。
【００４０】
図示実施の形態においては、係止部１０が他の配線・配管材支持具７０２の被係止部１１に係合するように、前記位置決め部８が、配線・配管材支持具３の回動にあたって、他の配線・配管材支持具７０２に対する支持具本体６の距離を所要の距離に保つ。こうして、他の配線・配管材支持具７０２に対する支持具本体６の距離が保たれて、支持具本体６、ひいては配線・配管材支持具３を、他の配線・配管材支持具７０２に干渉することなく、支柱１に取り付けることができるだけでなく、係止部１０を他の配線・配管材支持具７０２の被係止部１１に係合させて、他の配線・配管材支持具７０２と連結することができる。
【００４１】
また、位置決め部８の先端面８ａは、前記回動軸Ｘ２を中心とする円弧形状に形成されており、配線・配管材支持具３の回動の過程で、位置決め部８が他の配線・配管材支持具７０２に当接している間、配線・配管材支持具３が支柱１に沿って他の配線・配管材支持具７０２側に動くことがない。
【００４２】
また、位置決め部８として、対向する二つの突片を設けることで、支持具本体６、つまりは配線・配管材支持具３の回動を、回動軸Ｘ２のぶれを抑えて安定して行うことができる。
【００４３】
また、固定部４を構成する、基部９としての第１の基部９０１には、切欠き９ｄが設けられて、第１の基部９０１は、フック４ａが設けられた、固定部中心軸Ｘ１の方向の各側で、独立して撓むことができる。このため、図１８に示すように、支柱１が、途中で径が異なって形成されている場合（例えば、支柱１にねじが形成された部分と形成されていない部分とがある場合）であって、その径が異なる部分に跨って固定部４を固定する場合でも、その径が異なる境界部１ａに、前記切欠き９ｄを合わせることで、各フック４ａだけでなく、第１の基部９０１の各側が、それぞれ独立して、支柱１の異なる径に合わせて撓む。このため、支柱１へ固定した際に、固定部４、ひいては配線・配管材支持具３が傾くのを抑えることができる。
【００４４】
なお、本発明は、上述した実施の形態に限定されるわけではなく、その他種々の変更が可能である。例えば、支柱１は、二重天井内に配置される吊りボルト等でなくとも、ＯＡフロア等の二重床において基礎床面に配置されて上側の床を支持する支持脚を構成する支柱であってもよく、その配置場所は限定されない。また、支柱１は、垂直に配置されなくとも、水平に配置されても、斜め方向に配置されるものであってもよい。また、支柱１は、ボルト材に限定されるものでもない。
【００４５】
また、位置決め部８は、支持具本体６の、一方側にのみ設けられなくとも、図１９に示すように、両側に設けられてもよい。すなわち、配線・配管材支持具３は、位置決め部８として、固定部４の両フック４ａ、４ａ内を貫く固定部中心軸Ｘ１と回動軸Ｘ２とを含む基準平面Ｙを挟む各側で、基準平面Ｙから離れる方向に突設された、第１の位置決め部８０１と第２の位置決め部８０２とを備えてもよい。このように、第１の位置決め部８０１と第２の位置決め部８０２とを設けることで、支柱１の延びる方向の一方側にある周辺物７に対して配線・配管材支持具３をその周辺物７に近接あるいは接触した位置に取り付けることもでき、また、支柱１の延びる方向のもう一方側にある周辺物７に対して配線・配管材支持具３をその周辺物７に近接あるいは接触した位置に取り付けることもできる。
【００４６】
また、位置決め部８の先端面８ａは、円弧形状に形成さているが、必ずしも円弧形状に形成されなくともよい。
【図面の簡単な説明】
【００４７】
【図１】この発明の第一の実施の形態の、配線・配管材支持具の斜視図である。
【図２】同じく、正面図である。
【図３】同じく、右側面図である。
【図４】同じく、配線・配管材支持具の開閉片を閉じた状態の正面図である。
【図５】同じく、配線・配管材支持具の、支柱への取付け始めを示し、（ａ）は、正面図、（ｂ）は、右側面図である。
【図６】同じく、支柱への取付け途中を示し、（ａ）は、正面図、（ｂ）は、右側面図である。
【図７】同じく、支柱への取付け完了を示し、（ａ）は、正面図、（ｂ）は、右側面図である。
【図８】この発明の第二の実施の形態の、配線・配管材支持具の斜視図である。
【図９】同じく、正面図である。
【図１０】同じく、平面図である。
【図１１】同じく、右側面図である。
【図１２】同じく、図９におけるＡ−Ａ線による断面図である。
【図１３】同じく、配線・配管材支持具の開閉片を閉じた状態の正面図である。
【図１４】同じく、配線・配管材支持具を他の配線配管材支持具と並べて支柱へ取り付ける、取付け始めを示す、右側面図である。
【図１５】同じく、取付け完了を示す、右側面図である。
【図１６】同じく、取付け完了時の、配線・配管材支持具の係止部と、他の配線・配管材支持具の被係止部との、係合状態を示す、断面図である。
【図１７】同じく、取付け完了後の、配線・配管材を支持した状態を示す、斜視図である。
【図１８】同じく、配線・配管材支持具を、途中で径が異なる支柱に取り付けた状態を示す、縦断面図である。
【図１９】この発明の他の実施の形態の、右側面図である。
【図２０】従来の支持具を示す、一部を破断した正面図である。
【符号の説明】
【００４８】
１  支柱
２  配線・配管材
３  配線・配管材支持具
４  固定部
４ａ  フック
４ｂ  離間空間
５  支持部
６  支持具本体
７  周辺物
７０１  天井（周辺物）
７０２  他の配線・配管材支持具（周辺物）
８  位置決め部
８ａ  先端面
８０１  第１の位置決め部
８０２  第２の位置決め部
９ｃ  突起
１０  係止部
１１  被係止部
Ｘ１  固定部中心軸
Ｘ２  回動軸
Ｙ  基準平面
【図１】
2010156421.tif 000003
【図２】
2010156421.tif 000004
【図３】
2010156421.tif 000005
【図４】
2010156421.tif 000006
【図５】
2010156421.tif 000007
【図６】
2010156421.tif 000008
【図７】
2010156421.tif 000009
【図８】
2010156421.tif 000010
【図９】
2010156421.tif 000011
【図１０】
2010156421.tif 000012
【図１１】
2010156421.tif 000013
【図１２】
2010156421.tif 000014
【図１３】
2010156421.tif 000015
【図１４】
2010156421.tif 000016
【図１５】
2010156421.tif 000017
【図１６】
2010156421.tif 000018
【図１７】
2010156421.tif 000019
【図１８】
2010156421.tif 000020
【図１９】
2010156421.tif 000021
【図２０】
2010156421.tif 000022